(57)【特許請求の範囲】
【請求項１】
複数の仕切部材を接続するための接続部材であって、
第一被連結部を有する基部と、
前記基部の一方側に設けられ、第一の仕切部材を取付可能な取付部と、
前記基部の他方側に設けられた連結部と、
を備え、
前記連結部は、第二の仕切部材が取付可能な別の前記接続部材の前記第一被連結部と着脱可能に連結可能である、
接続部材。
【請求項２】
前記基部は、互いに離隔した複数の開口部を有し、前記基部のうち、前記複数の開口部の間の部分が、前記第一被連結部として機能し、
前記連結部は、前記基部との間に、前記別の接続部材の第一被連結部を挿入するための挿入空間を有する、
請求項１に記載の接続部材。
【請求項３】
前記取付部は、前記基部の一方側に延びると共に互いに離隔している二つの取付片を備え、
各取付片は、開口部を有し、
前記基部の開口部と前記取付片の開口部との間の部分は、別の前記接続部材の連結部を着脱可能に連結するための第二被連結部として機能する、
請求項２に記載の接続部材。
【請求項４】
請求項１から３のいずれか１項に記載の接続部材が二つ連結されて成る連結体。
【請求項５】
請求項３に記載の接続部材が三つ連結されて成る連結体であって、
一つ目の前記接続部材と二つ目の前記接続部材とは、前記基部同士が対向すると共に、前記挿入空間に相手側の接続部材の前記第一被連結部が挿入されることにより連結されており、
三つ目の前記接続部材の基部は、前記一つ目の接続部材の取付片及び前記二つ目の接続部材の取付片と対向しており、
前記三つ目の接続部材は、前記三つ目の接続部材の挿入空間に、前記一つ目の接続部材の第二被連結部及び前記二つ目の接続部材の第二被連結部が挿入されることにより、前記一つ目の接続部材及び前記二つ目の接続部材と連結されている、
連結体。
【請求項６】
請求項５に記載の連結体に、請求項３に記載の接続部材が連結されて成る連結体であって、
四つ目の前記接続部材は、前記三つ目の接続部材とは反対側に配置されており、
前記四つ目の接続部材の基部は、前記一つ目の接続部材の取付片及び前記二つ目の接続部材の取付片と対向しており、
前記四つ目の接続部材は、前記四つ目の接続部材の挿入空間に、前記一つ目の接続部材の第二被連結部及び前記二つ目の接続部材の第二被連結部が挿入されることにより、前記一つ目の接続部材及び前記二つ目の接続部材と連結されている、
連結体。
【発明の詳細な説明】
【技術分野】
【０００１】
本発明は、複数の仕切部材を接続するための接続部材に関する。また、本発明は、当該接続部材を複数連結させた連結体にも関する。
【背景技術】
【０００２】
オフィス等では、パネルを設置して、室内を仕切ることが行われている。近年、オフィスにおいて、固定の座席を決めず、自由に座席を選択できる、フリーアドレスと呼ばれるオフィススタイルが増えてきており、室内のレイアウトを簡単に変更できることが望まれている。特許文献１には、平板状の第一パネルと、平板状の第二パネルと、を連結する連結部材が開示されている。
【先行技術文献】
【特許文献】
【０００３】
【特許文献１】特開２０１８−３５５２７号公報
【発明の概要】
【発明が解決しようとする課題】
【０００４】
室内のレイアウトを変更するに当たり、複数のパネルを接続できる部品の開発が求められている。
【０００５】
本発明は、複数の仕切部材を接続するための接続部材を提供することを目的とする。また、本発明は、当該接続部材を複数連結させた連結体を提供することを目的とする。
【課題を解決するための手段】
【０００６】
本発明は以下の特徴を有する。
（項目１）
複数の仕切部材を接続するための接続部材であって、
第一被連結部を有する基部と、
前記基部の一方側に設けられ、第一の仕切部材を取付可能な取付部と、
前記基部の他方側に設けられた連結部と、
を備え、
前記連結部は、第二の仕切部材が取付可能な別の前記接続部材の前記第一被連結部と着脱可能に連結可能である、
接続部材。
【０００７】
（項目２）
前記基部は、互いに離隔した複数の開口部を有し、前記基部のうち、前記複数の開口部の間の部分が、前記第一被連結部として機能し、
前記連結部は、前記基部との間に、前記別の接続部材の第一被連結部を挿入するための挿入空間を有する、
項目１に記載の接続部材。
【０００８】
（項目３）
前記取付部は、前記基部の一方側に延びると共に互いに離隔している二つの取付片を備え、
各取付片は、開口部を有し、
前記基部の開口部と前記取付片の開口部との間の部分は、別の前記接続部材の連結部を着脱可能に連結するための第二被連結部として機能する、
項目２に記載の接続部材。
【０００９】
（項目４）
項目１から３のいずれか１項に記載の接続部材が二つ連結されて成る連結体。
【００１０】
（項目５）
項目３に記載の接続部材が三つ連結されて成る連結体であって、
一つ目の前記接続部材と二つ目の前記接続部材とは、前記基部同士が対向すると共に、前記挿入空間に相手側の接続部材の前記第一被連結部が挿入されることにより連結されており、
三つ目の前記接続部材の基部は、前記一つ目の接続部材の取付片及び前記二つ目の接続部材の取付片と対向しており、
前記三つ目の接続部材は、前記三つ目の接続部材の挿入空間に、前記一つ目の接続部材の第二被連結部及び前記二つ目の接続部材の第二被連結部が挿入されることにより、前記一つ目の接続部材及び前記二つ目の接続部材と連結されている、
連結体。
【００１１】
（項目６）
項目５に記載の連結体に、項目３に記載の接続部材が連結されて成る連結体であって、
四つ目の前記接続部材は、前記三つ目の接続部材とは反対側に配置されており、
前記四つ目の接続部材の基部は、前記一つ目の接続部材の取付片及び前記二つ目の接続部材の取付片と対向しており、
前記四つ目の接続部材は、前記四つ目の接続部材の挿入空間に、前記一つ目の接続部材の第二被連結部及び前記二つ目の接続部材の第二被連結部が挿入されることにより、前記一つ目の接続部材及び前記二つ目の接続部材と連結されている、
連結体。
【発明の効果】
【００１２】
本発明の接続部材を複数連結させることにより、複数の仕切部材を接続することができる。
【図面の簡単な説明】
【００１３】
【図１】（ａ）接続部材の斜視図、（ｂ）（ａ）とは反対側から見た接続部材の斜視図である。
【図２】二つの接続部材を連結した連結体の斜視図である。
【図３】（ａ）図２のＩＩＩａ−ＩＩＩａ線断面図、（ｂ）図２のＩＩＩｂ−ＩＩＩｂ線断面図である。
【図４】図２の連結体の使用状態を示す平面図である。
【図５】三つの接続部材を連結した連結体の斜視図である。
【図６】（ａ）図５のＶＩａ−ＶＩａ線断面図、（ｂ）図５のＶＩｂ−ＶＩｂ線断面図である。
【図７】図５の連結体の使用状態を示す平面図である。
【図８】四つの接続部材を連結した連結体の斜視図である。
【図９】図８の連結体の使用状態を示す平面図である。
【発明を実施するための形態】
【００１４】
図面を参照しつつ、本発明の接続部材１０、及び連結体１００、２００、３００について説明する。図１（ａ）は接続部材１０の斜視図、図１（ｂ）は図１（ａ）とは反対側から見た接続部材１０の斜視図である。図２は、二つの接続部材１０を連結させた連結体１００の斜視図である。図３（ａ）は図２のＩＩＩａ−ＩＩＩａ線断面図、図３（ｂ）は図２のＩＩＩｂ−ＩＩＩｂ線断面図である。図４は、接続部材１０の使用状態の平面図である。なお、説明の便宜上、図１に示す上下方向及び横方向を、接続部材１０の上下方向及び横方向として説明する。
【００１５】
接続部材１０は、仕切部材Ｐを取付可能に構成されており、複数の仕切部材Ｐを接続するために使用される。仕切部材Ｐは、例えば、室内を仕切るパネルである。接続部材１０は、別の接続部材１０と連結されて、連結体１００（図２、図４参照）を構成することができる。連結体１００にさらに接続部材１０を連結して（すなわち、三つの接続部材１０を連結して）、連結体２００（図５、図７参照）を構成することができる。連結体２００にさらに接続部材１０を連結して（すなわち、四つの接続部材１０を連結して）、連結体３００（図８、図９参照）を構成することができる。このように、複数の接続部材１０を連結させることにより、複数の仕切部材Ｐを接続することができる（図４、図７、図９参照）。なお、各接続部材１０に取り付けられる仕切部材Ｐは同一の仕切部材である必要はない。
【００１６】
主に図１を参照して接続部材１０の構造について詳細に説明する。説明の便宜上、連結体１００を構成する二つの接続部材１０を「第一接続部材１０Ａ」及び「第二接続部材１０Ｂ」と表記し、連結体２００を作製する場合に、連結体１００に追加する三つ目の接続部材１０を「第三接続部材１０Ｃ」と表記し、連結体３００を作製する場合に、連結体２００に追加する四つ目の接続部材１０を「第四接続部材１０Ｄ」と表記することがある。
【００１７】
図１に示すように、接続部材１０は、基部１１と、取付部１２と、二つの連結部１３ａ、１３ｂと、を備える。接続部材１０は、例えばプラスチック製の一体成形品である。基部１１は上下方向に長い長方形の平板状である。取付部１２は、仕切部材Ｐを取り付けるための部分であり、基部１１の一方側に設けられている。連結部１３ａ、１３ｂは、別の接続部材１０と連結するための部分であり、基部１１の他方側に設けられている。接続部材１０は基部１１の中心に対して点対称である。すなわち、接続部材１０は、上下反転させても同一の形状となる。
【００１８】
基部１１は、四つの開口部１１ａ、１１ｂ、１１ｃ、１１ｄを有する。開口部１１ａと開口部１１ｂは同じ高さに設けられ、且つ、横方向に離隔されている。開口部１１ｃと開口部１１ｄは、開口部１１ａ、１１ｂよりも下方に設けられている。開口部１１ｃと開口部１１ｄは同じ高さに設けられ、且つ、横方向に離隔されている。対角に位置する開口部１１ａと開口部１１ｄは、連結部１３ａ、１３ｂが挿入可能な大きさを有する。後述するように、基部１１のうち、開口部１１ａと開口部１１ｂの間の部分１１ｅは、第二接続部材１０Ｂの連結部１３ａを連結するための被連結部１１ｅとして機能する。また、開口部１１ｃと開口部１１ｄの間の部分１１ｆは、第二接続部材１０Ｂの連結部１３ｂを連結するための被連結部１１ｆとして機能する。
【００１９】
連結部１３ａは、開口部１１ａと開口部１１ｂの間の部分に設けられている。連結部１３ｂは、開口部１１ｃと開口部１１ｄの間の部分に設けられている。連結部１３ａは、基部１１から突出すると共に横方向に延びている。連結部１３ａは、基部１１との間に、挿入空間Ｓ１を有する。後述するように、挿入空間Ｓ１には、第二接続部材１０Ｂの被連結部１１ｅが挿入される。連結部１３ｂは、基部１１から突出すると共に、連結部１３ａとは逆向きに横方向に延びている。連結部１３ｂは、基部１１との間に、挿入空間Ｓ２を有する。後述するように、挿入空間Ｓ２には、第二接続部材１０Ｂの被連結部１１ｆが挿入される。
【００２０】
取付部１２は、基部１１の横方向両端それぞれから延出する一対の取付片１２１、１２２を備える。仕切部材Ｐは、一対の取付片１２１、１２２によって囲まれる空間に嵌め込まれる。各取付片１２１、１２２のうち、基部１１寄りの部分にはそれぞれ、開口部１２１ａ、１２２ａが設けられている。開口部１２１ａ、１２２ａは、基部１１の開口部１１ａ、１１ｂの上端と略同じ高さから、開口部１１ｃ、１１ｄの下端と略同じ高さまで延びている。
【００２１】
後述するように、取付片１２１の開口部１２１ａと基部１１の開口部１１ａとの間の部分１１ｇは、第三接続部材１０Ｃの連結部１３ａ又は第四接続部材１０Ｄの連結部１３ａを連結するための被連結部１１ｇとして機能する。また、取付片１２２の開口部１２２ａと基部１１の開口部１１ｄとの間の部分１１ｈは、第三接続部材１０Ｃの連結部１３ｂ又は第四接続部材１０Ｄの連結部１３ｂを連結するための被連結部１１ｈとして機能する。
【００２２】
以下では、連結体１００、２００、３００の作製方法について説明する。まず、図１から図３を参照して、第一接続部材１０Ａと第二接続部材１０Ｂとを連結して、連結体１００を作製する方法について説明する。
【００２３】
第一接続部材１０Ａと第二接続部材１０Ｂの基部１１同士が対向するように配置する。
【００２４】
第一接続部材１０Ａ又は第二接続部材１０Ｂの一方が他方に対してやや斜めになるように第一接続部材１０Ａ又は第二接続部材１０Ｂを傾け、それぞれの連結部１３ａ及び連結部１３ｂを、相手側の接続部材１０の開口部１１ａ及び開口部１１ｄにそれぞれ挿入する。
【００２５】
挿入空間Ｓ１に相手側の接続部材１０の被連結部１１ｅが挿入され、挿入空間Ｓ２に相手側の接続部材１０の被連結部１１ｆが挿入されるように、第一接続部材１０Ａ又は第二接続部材１０Ｂの一方を他方に対して捩じる。こうして、第一接続部材１０Ａと第二接続部材１０Ｂとが連結された連結体１００が完成する。第一接続部材１０Ａ又は第二接続部材１０Ｂの一方を反対方向に捩れば、第一接続部材１０Ａと第二接続部材１０Ｂとを連結解除することができる。
【００２６】
図４に示すように、第一接続部材１０Ａ及び第二接続部材１０Ｂに仕切部材Ｐを取り付けたとき、二つの仕切部材Ｐの間の角度は１８０°である。
【００２７】
図１、図２、図５及び図６を参照して、連結体１００に、第三接続部材１０Ｃを連結して、連結体２００を作製する方法について説明する。図５は、連結体２００の斜視図である。図６（ａ）は図５のＶＩａ−ＶＩａ線断面図、図６（ｂ）は図５のＶＩｂ−ＶＩｂ線断面図である。
【００２８】
第三接続部材１０Ｃ又は連結体１００の一方が他方に対してやや斜めになるように第三接続部材１０Ｃ又は連結体１００を傾け、第三接続部材１０Ｃの連結部１３ａを、第一接続部材１０Ａの開口部１２１ａに挿入し、第三接続部材１０Ｃの連結部１３ｂを、第二接続部材１０Ｂの開口部１２２ａに挿入する。
【００２９】
第三接続部材１０Ｃの挿入空間Ｓ１に第一接続部材１０Ａの被連結部１１ｇが挿入され、第三接続部材１０Ｃの挿入空間Ｓ２に第二接続部材１０Ｂの被連結部１１ｈが挿入されるように、第三接続部材１０Ｃ又は連結体１００の一方を他方に対して捩る。こうして、連結体１００に第三接続部材１０Ｃが連結された連結体２００が完成する。第三接続部材１０Ｃ又は連結体１００の一方を反対方向に捩れば、第三接続部材１０Ｃと連結体１００とを連結解除することができる。
【００３０】
なお、第三接続部材１０Ｃは、図５に示す取付位置に代え、連結体１００に対し、図５に示す取付位置とは反対側に取付可能であることは言うまでもない。
【００３１】
図７に示すように、連結体２００の各接続部材１０に仕切部材Ｐを取り付けたとき、第三接続部材１０Ｃに取り付けられた仕切部材Ｐと、第一接続部材１０Ａ及び第二接続部材１０Ｂに取り付けられた仕切部材Ｐとの間の角度は９０°である。
【００３２】
図１、図５及び図８を参照して、連結体２００に、第四接続部材１０Ｄを連結して、連結体３００を作製する方法について説明する。図８は、連結体３００の斜視図である。
【００３３】
第四接続部材１０Ｄを、連結体２００の、第三接続部材１０Ｃとは反対側に連結する。第四接続部材１０Ｄと連結体２００との連結方法及び連結解除方法はそれぞれ、第三接続部材１０Ｃと連結体１００との連結方法及び連結解除方法と同じであるため、省略する。
【００３４】
図９に示すように、第四接続部材１０Ｄに取り付けられた仕切部材Ｐは、第一接続部材１０Ａ及び第二接続部材１０Ｂに取り付けられた仕切部材Ｐと９０°の角度を成しており、第三接続部材１０Ｃに取り付けられた仕切部材Ｐと１８０°の角度を成している。
【００３５】
上記の説明の通り、本発明の接続部材１０は、別の接続部材１０と連結可能である。したがって、複数の接続部材１０を連結させた連結体１００、２００、３００に仕切部材Ｐを取り付けることにより、複数の仕切部材Ｐを接続することができる。
【００３６】
複数の接続部材１０が互いに着脱可能であることにより、連結体１００、２００、３００を分解して、接続部材１０を再利用することができる。
【００３７】
複数の接続部材１０を連結する際に、ネジなどの固定部材を必要とせず、挿入空間Ｓ１、Ｓ２に被連結部を挿入するだけであるため、接続部材１０同士の着脱を簡単に行うことができる。
【符号の説明】
【００３８】
１０（１０Ａ〜１０Ｄ）    接続部材
１１                      基部
１１ａ〜１１ｄ            開口部
１１ｅ                    被連結部（第一被連結部）
１１ｆ                    被連結部（第一被連結部）
１１ｇ                    被連結部（第二被連結部）
１１ｈ                    被連結部（第二被連結部）
１２                      取付部
１２１                    取付片
１２１ａ                  開口部
１２２                    取付片
１２２ａ                  開口部
１３ａ                    連結部
１３ｂ                    連結部
１００                    連結体
２００                    連結体
３００                    連結体
Ｓ１                      挿入空間
Ｓ２                      挿入空間
Ｐ                        仕切部材
【要約】      （修正有）【課題】室内のレイアウトを変更するに当たり、複数のパネルを接続できる接続部材を提供する。【解決手段】接続部材１０は、基部１１と、取付部１２と、連結部１３ａ、１３ｂと、を備える。基部１１は、被連結部１１ｅ、１１ｆを有する。取付部１２は基部１１の一方側に設けられており、仕切部材を取付可能である。連結部１３ａ、１３ｂは基部１１の他方側に設けられており、別の接続部材１０の被連結部１１ｅ、１１ｆと連結可能である。【選択図】図１【図１】
0006822713.tif 000002
【図２】
0006822713.tif 000003
【図３】
0006822713.tif 000004
【図４】
0006822713.tif 000005
【図５】
0006822713.tif 000006
【図６】
0006822713.tif 000007
【図７】
0006822713.tif 000008
【図８】
0006822713.tif 000009
【図９】
0006822713.tif 000010